【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
複数のダウンリンクのコンポーネントキャリアに対するチャンネル状態情報を基地局装置に送信するユーザ機器であって、
各ダウンリンクのコンポーネントキャリアに対するチャンネル状態情報を連結し、前記連結したチャンネル状態情報のビットに対するサイクリックリダンダンシーチェック（ＣＲＣ）ビットを、前記連結したチャンネル状態情報のビットに付加することによって得られるビット数を用いて、前記複数のダウンリンクのコンポーネントキャリアに対するチャンネル状態情報の符号化シンボルの数を決定するための決定部を備えることを特徴とするユーザ機器。
【請求項２】
物理アップリンク共有チャンネルを用いて、アップリンク共有チャンネル（ＵＬ−ＳＣＨ）のデータとともに、複数のダウンリンクのコンポーネントキャリアに対するチャンネル状態情報を基地局装置に送信するユーザ機器であって、
各ダウンリンクのコンポーネントキャリアに対するチャンネル状態情報を連結し、前記連結したチャンネル状態情報のビットに対するサイクリックリダンダンシーチェック（ＣＲＣ）ビットを、前記連結したチャンネル状態情報のビットに付加することによって得られるビット数を用いて、前記複数のダウンリンクのコンポーネントキャリアに対するチャンネル状態情報の符号化シンボルの数を決定するための決定部と、
前記物理アップリンク共有チャンネルを用いて、前記アップリンク共有チャンネル（ＵＬ−ＳＣＨ）のデータとともに、前記決定部によって決定された前記符号化シンボルの数の前記複数のダウンリンクのコンポーネントキャリアに対するチャンネル状態情報とを、前記基地局装置に送信するための送信部と、を備えることを特徴とするユーザ機器。
【請求項３】
前記サイクリックリダンダンシーチェック（ＣＲＣ）ビットの数は、前記各ダウンリンクのコンポーネントキャリアに対するチャンネル状態情報を連結することによって得られるビット数を用いて決定されることを特徴とする請求項１または２に記載のユーザ機器。
【請求項４】
前記チャンネル状態情報は、チャンネル品質インジケータを含むことを特徴とする請求項１または２に記載のユーザ機器。
【請求項５】
前記チャンネル状態情報は、プリコーディングマトリクスインジケータを含むことを特徴とする請求項１または２に記載のユーザ機器。
【請求項６】
前記チャンネル状態情報は、広帯域のプリコーディングマトリクスインジケータを含むことを特徴とする請求項１または２に記載のユーザ機器。
【請求項７】
物理アップリンク共有チャンネルを用いて、アップリンク共有チャンネル（ＵＬ−ＳＣＨ）のデータとともに、複数のダウンリンクのコンポーネントキャリアに対するチャンネル状態情報をユーザ機器から受信する基地局装置であって、
前記ユーザ機器によって決定された符号化シンボルの数の前記複数のダウンリンクのコンポーネントキャリアに対する前記チャンネル状態情報を、前記アップリンク共有チャンネル（ＵＬ−ＳＣＨ）のデータとともに、前記物理アップリンク共有チャンネルを用いて前記ユーザ機器から受信するための受信部を備え、
前記複数のダウンリンクのコンポーネントキャリアに対するチャンネル状態情報の前記符号化シンボルの数は、各ダウンリンクのコンポーネントキャリアに対するチャンネル状態情報を連結し、前記連結したチャンネル状態情報のビットに対するサイクリックリダンダンシーチェック（ＣＲＣ）ビットを、前記連結したチャンネル状態情報のビットに付加することによって得られるビット数を用いて、前記ユーザ機器によって決定されることを特徴とする基地局装置。
【請求項８】
前記サイクリックリダンダンシーチェック（ＣＲＣ）ビットの数は、前記各ダウンリンクのコンポーネントキャリアに対する前記チャンネル状態情報を連結することによって得られるビット数を用いて、前記ユーザ機器によって決定されることを特徴とする請求項７に記載の基地局装置。
【請求項９】
前記チャンネル状態情報は、チャンネル品質インジケータを含むことを特徴とする請求項７に記載の基地局装置。
【請求項１０】
前記チャンネル状態情報は、プリコーディングマトリクスインジケータを含むことを特徴とする請求項７に記載の基地局装置。
【請求項１１】
前記チャンネル状態情報は、広帯域のプリコーディングマトリクスインジケータを含むことを特徴とする請求項７に記載の基地局装置。
【請求項１２】
複数のダウンリンクのコンポーネントキャリアに対するチャンネル状態情報を基地局装置に送信するためのユーザ機器の方法であって、
各ダウンリンクのコンポーネントキャリアに対するチャンネル状態情報を連結し、前記連結したチャンネル状態情報のビットに対するサイクリックリダンダンシーチェック（ＣＲＣ）ビットを、前記連結したチャンネル状態情報のビットに付加することによって得られるビット数を用いて、前記複数のダウンリンクのコンポーネントキャリアに対するチャンネル状態情報の符号化シンボルの数を、決定することを特徴とするユーザ機器の方法。
【請求項１３】
物理アップリンク共有チャンネルを用いて、アップリンク共有チャンネル（ＵＬ−ＳＣＨ）のデータとともに、複数のダウンリンクのコンポーネントキャリアのためのチャンネル状態情報を基地局装置に送信するためのユーザ機器の方法であって、
各ダウンリンクのコンポーネントキャリアに対するチャンネル状態情報を連結し、前記連結したチャンネル状態情報のビットに対するサイクリックリダンダンシーチェック（ＣＲＣ）ビットを、前記連結したチャンネル状態情報のビットに付加することによって得られるビット数を用いて、前記複数のダウンリンクのコンポーネントキャリアに対するチャンネル状態情報の符号化シンボルの数を決定し、
前記物理アップリンク共有チャンネルを用いて、前記アップリンク共有チャンネル（ＵＬ−ＳＣＨ）のデータとともに、前記決定された符号化シンボルの複数のダウンリンクのコンポーネントキャリアに対するチャンネル状態情報を、前記基地局装置に送信することを特徴とするユーザ機器の方法。
【請求項１４】
物理アップリンク共有チャンネルを用いて、アップリンク共有チャンネル（ＵＬ−ＳＣＨ）のデータとともに、複数のダウンリンクのコンポーネントキャリアに対するチャンネル状態情報をユーザ機器から受信するための基地局装置の方法であって、
前記ユーザ機器によって決定された符号化シンボルの前記複数のダウンリンクのコンポーネントキャリアに対するチャンネル状態情報を、前記アップリンク共有チャンネル（ＵＬ−ＳＣＨ）のデータとともに、前記物理アップリンク共有チャンネルを用いて前記ユーザ機器から受信し、
前記複数のダウンリンクのコンポーネントキャリアに対する前記チャンネル状態情報の前記符号化シンボルの数は、各ダウンリンクのコンポーネントキャリアに対するチャンネル状態情報を連結し、前記連結したチャンネル状態情報のビットに対するサイクリックリダンダンシーチェック（ＣＲＣ）ビットを、前記連結したチャンネル状態情報のビットに付加することによって得られるビット数を用いて、前記ユーザ機器によって決定されることを特徴とする基地局装置の方法。
【請求項１５】
ユーザ機器が、物理アップリンク共有チャンネルを用いて、アップリンク共有チャンネル（ＵＬ−ＳＣＨ）のデータとともに、複数のダウンリンクのコンポーネントキャリアに対するチャンネル状態情報を基地局装置に送信する通信システムであって、
前記ユーザ機器は、
各ダウンリンクのコンポーネントキャリアに対するチャンネル状態情報を連結し、前記連結したチャンネル状態情報のビットに対するサイクリックリダンダンシーチェック（ＣＲＣ）ビットを、前記連結したチャンネル状態情報のビットに付加することによって得られるビット数を用いて、前記複数のダウンリンクのコンポーネントキャリアに対するチャンネル状態情報の符号化シンボルの数を決定するための決定部と、
前記物理アップリンク共有チャンネルを用いて、前記アップリンク共有チャンネル（ＵＬ−ＳＣＨ）のデータとともに、前記決定された符号化シンボルの数の複数のダウンリンクのコンポーネントキャリアに対する前記チャンネル状態情報を、前記基地局装置に送信するための送信部とを備えており、
前記基地局装置は、
前記ユーザ機器によって決定された符号化シンボルの数の前記複数のダウンリンクのコンポーネントキャリアに対するチャンネル状態情報を、前記アップリンク共有チャンネル（ＵＬ−ＳＣＨ）のデータとともに、前記物理アップリンク共有チャンネルを用いて前記ユーザ機器から受信するための受信部を備えていることを特徴とする通信システム。